(57)【要約】【課題】時分割で生成される光の各色の配分を任意に変更できることにより、投影画像における色再現性及び明るさの微妙な調整が可能なプロジェクタを提供する。【解決手段】プロジェクタが画像を投影する場合、制御部１０が、カラーホイール駆動部４２，４５，４８，５１を適切に制御することにより、カラーホイール４１の第２反射フィルタ及びカラーホイール４４，４７，５０の反射フィルタの相対的な位置関係を維持しつつ各カラーホイール４１，４４，４７，５０を回転させる。このように回転するカラーホイール４１，４４，４７，５０によって光源からの光が反射されることにより、赤、緑、青及び白の各色の光が時分割で生成され、生成された光を用いて画像を投影する。【選択図】図２
2008197390.tif 000002
【特許請求の範囲】
【請求項１】
光源を備え、該光源からの白色光を用いて外部へ画像を投影するプロジェクタにおいて、
前記光源からの白色光を透過させる透過フィルタ及び夫々異なる色の光を反射させる反射フィルタを夫々有する複数の回転可能な円盤状の第１カラーホイールと、
該第１カラーホイールの夫々が有する透過フィルタを通過した白色光を反射させる第１反射フィルタ及び所定の色の光を反射させる第２反射フィルタを有する回転可能な円盤状の第２カラーホイールと、
前記第１カラーホイール及び前記第２カラーホイールによって反射された光を用いて画像を投影する投影手段と
を備えることを特徴とするプロジェクタ。
【請求項２】
前記第１カラーホイールの夫々が有する反射フィルタ及び前記第２カラーホイールが有する第２反射フィルタの相対的な位置関係を設定する設定手段と、
該設定手段が設定した位置関係を維持して前記第１カラーホイール及び前記第２カラーホイールの回転を制御する制御手段とを備え、
前記投影手段は、前記制御手段によって回転を制御された第１カラーホイール及び第２カラーホイールによって反射された光を用いて画像を投影するように構成してあることを特徴とする請求項１に記載のプロジェクタ。
【請求項３】
前記設定手段が設定する位置関係は可変であることを特徴とする請求項２に記載のプロジェクタ。
【請求項４】
前記第１カラーホイールの反射フィルタ及び前記第２カラーホイールの第２反射フィルタの夫々は、赤、緑及び青のいずれかの光を反射させる色フィルタであり、
前記制御手段の制御によって回転する第１カラーホイール及び第２カラーホイールは、赤、緑及び青の各色の光を時分割で順次反射させるように構成してあることを特徴とする請求項２又は３に記載のプロジェクタ。
【請求項５】
前記第１カラーホイール及び前記第２カラーホイールは、同軸配置されていることを特徴とする請求項１乃至４のいずれかひとつに記載のプロジェクタ。
【発明の詳細な説明】
【技術分野】
【０００１】
本発明は、光源からの白色光を用いて画像を投影するプロジェクタに関する。
【背景技術】
【０００２】
プレゼンテーション又は映像の映写の分野では、外部へ光を投射することによって外部のスクリーン又は壁等に画像を投影するプロジェクタが用いられている。このようなプロジェクタは、液晶パネル又はＤＭＤ（Digital Micromirror Device）等の画像デバイス上に画像データに基づいた画像を形成し、画像デバイスで反射又は画像デバイスを透過した光を外部へ投射することにより、色又は強度が空間的に変調された光の像でなる画像を投影する構成となっている。またプロジェクタには、外部のスクリーン又は壁等に対して前面から画像を投影するフロントプロジェクション型のプロジェクタとは別に、画像投影用のスクリーンを備え、スクリーンの背面から画像を投影するリアプロジェクション型のプロジェクタも利用されている。このようなプロジェクタがカラー画像を投影する方式には、赤緑青の３色の画像を時分割で順に投影することによってカラー画像を投影する方式がある。
【０００３】
時分割でカラー画像を投影するプロジェクタは、赤緑青の夫々の光を透過させる３色のフィルタを回転軸回りに配置させた円盤状のカラーホイールを備え、回転するカラーホイールに光源からの光を通過させることにより、３色の光を時分割で生成する。またプロジェクタは、カラーホイールを通過した光を画像デバイスへ照射することにより、３色の光を時分割で画像デバイスへ照射させる。画像デバイスはカラーホイールの回転に同期して各色用の画像を形成し、画像デバイスで反射された光又は画像デバイスを透過した光によって各色の画像が時分割で外部のスクリーン又は壁等に投影される。プロジェクタが投影する画像を目視した視聴者は、時分割で投影された３色の画像を合わせてカラー画像であると認識する。
【０００４】
プロジェクタが備えるカラーホイールとしては、３色のフィルタに加えて、白色光を透過させる白色フィルタを有するカラーホイール等、様々な構成のカラーホイールが利用されている。白色フィルタを有するカラーホイールを用いたプロジェクタでは、３色の光に加えて白色光が時分割で投射されるので、投影する画像の明るさが向上する。なお、カラーホイールの回転軸回りに設けられた各色のフィルタは、カラーホイールの中心からの距離が離れた場合であっても同一の割合（配分）となるように構成されている場合が多い。
【０００５】
特許文献１には、各色の光を透過させるための各透過部（フィルタ）の割合（配分）が、カラーホイールの回転中心からの距離によって変化するように構成されたカラーホイールを有するプロジェクタが開示されている。特許文献１のプロジェクタでは、光源からの光を透過させる位置を、回転するカラーホイールの回転中心から適切な距離の位置に適宜変更することにより、時分割される各色の配分を変更することができる。よって、例えば、白色の光の配分を多くすると投影画像の輝度を高くすることができ、赤色の光の配分を多くすると投影画像における色再現性を高めることができる。また、特許文献１のプロジェクタでは、画像の投影中であっても、投影する画像の色再現性及び輝度をダイナミックに変化させることができるので、画像を目視する視聴者に違和感を与えることなく、輝度を重視した画像の投影又は色再現性を重視した画像の投影の切り替えが可能となる。
【０００６】
また、特許文献２には、上述したようなカラーホイールを２枚以上有するプロジェクタが開示されている。特許文献２のプロジェクタでは、例えば、２枚のカラーホイールをそれぞれ適切な位相で回転させることにより、投影する画像の色再現性及び明るさが効果的に向上する。
【特許文献１】特開２００５−１０７４００号公報
【特許文献２】特開２００５−０４３８５４号公報
【発明の開示】
【発明が解決しようとする課題】
【０００７】
しかし、上述したような特許文献１及び２のプロジェクタでは、カラーホイールに設けられたフィルタの色及び形状に応じて、時分割される各色の配分がある程度固定されてしまい、段階的にしか変化させることができない場合が多い。従って、このようなカラーホイールを有するプロジェクタによって実現される色再現性及び輝度には制限がある。
【０００８】
本発明は、斯かる事情に鑑みてなされたものであり、その目的とするところは、時分割で生成される光の各色の配分を任意に変更できることにより、投影画像における色再現性又は明るさの微妙な調整がより可能となるプロジェクタを提供することにある。
【０００９】
本発明の他の目的は、時分割で生成される光の各色の配分を容易に変更できると共に、変更された配分を維持できることにより、適切に各色の配分が調整された光を用いた画像の投影が可能なプロジェクタを提供することにある。
【課題を解決するための手段】
【００１０】
本発明に係るプロジェクタは、光源を備え、該光源からの白色光を用いて外部へ画像を投影するプロジェクタにおいて、前記光源からの白色光を透過させる透過フィルタ及び夫々異なる色の光を反射させる反射フィルタを夫々有する複数の回転可能な円盤状の第１カラーホイールと、該第１カラーホイールの夫々が有する透過フィルタを通過した白色光を反射させる第１反射フィルタ及び所定の色の光を反射させる第２反射フィルタを有する回転可能な円盤状の第２カラーホイールと、前記第１カラーホイール及び前記第２カラーホイールによって反射された光を用いて画像を投影する投影手段とを備えることを特徴とする。
【００１１】
本発明によれば、光源からの白色光を透過させる透過フィルタ及び夫々異なる色の光を反射させる反射フィルタを夫々有する複数の第１カラーホイールと、第１カラーホイールの夫々が有する透過フィルタを順次通過した白色光を反射させる第１反射フィルタ及び所定の色の光を反射させる第２反射フィルタを有する第２カラーホイールとによって反射された光を用いて画像を投影する。従って、光源からの白色光が第１カラーホイールの各反射フィルタ、第２カラーホイールの第１反射フィルタ及び第２反射フィルタに反射されることによって、各色の光を時分割で生成することが可能となる。
【００１２】
本発明に係るプロジェクタは、前記第１カラーホイールの夫々が有する反射フィルタ及び前記第２カラーホイールが有する第２反射フィルタの相対的な位置関係を設定する設定手段と、該設定手段が設定した位置関係を維持して前記第１カラーホイール及び前記第２カラーホイールの回転を制御する制御手段とを備え、前記投影手段は、前記制御手段によって回転を制御された第１カラーホイール及び第２カラーホイールによって反射された光を用いて画像を投影するように構成してあることを特徴とする。
【００１３】
本発明によれば、第１カラーホイールの夫々が有する反射フィルタ及び第２カラーホイールが有する第２反射フィルタの相対的な位置関係を維持して第１カラーホイール及び第２カラーホイールを回転させ、回転する第１カラーホイール及び第２カラーホイールによって反射された光を用いて画像を投影する。従って、光源からの白色光が第１カラーホイール及び第２カラーホイールに反射されることによって時分割で生成される光の各色の配分を維持することが可能となる。
【００１４】
本発明に係るプロジェクタは、前記設定手段が設定する位置関係は可変であることを特徴とする。
【００１５】
本発明によれば、第１カラーホイールの夫々が有する反射フィルタと第２カラーホイールが有する第２反射フィルタの相対的な位置関係が可変であることにより、第１カラーホイール及び第２カラーホイールに反射されることによって時分割で生成される各色の光の配分を任意に変更することが可能となる。
【００１６】
本発明に係るプロジェクタは、前記第１カラーホイールの反射フィルタ及び前記第２カラーホイールの第２反射フィルタの夫々は、赤、緑及び青のいずれかの光を反射させる色フィルタであり、前記制御手段の制御によって回転する第１カラーホイール及び第２カラーホイールは、赤、緑及び青の各色の光が時分割で順次反射されることを特徴とする。
【００１７】
本発明によれば、第１カラーホイールの反射フィルタ及び第２カラーホイールの第２反射フィルタの夫々は、赤、緑及び青のいずれかの光を反射させる色フィルタであり、回転する第１カラーホイール及び第２カラーホイールによって赤、緑及び青の各色の光が時分割で順次反射されることより、光源からの白色光から赤、緑及び青の各色の光を生成することが可能となる。
【００１８】
本発明に係るプロジェクタは、前記第１カラーホイール及び前記第２カラーホイールは、同軸配置されていることを特徴とする。
【００１９】
本発明によれば、第１カラーホイールと第２カラーホイールとが同軸配置されているので、第１カラーホイール及び第２カラーホイールを適切にずらすことにより、第１カラーホイールの夫々が有する反射フィルタと第２カラーホイールが有する第２反射フィルタの相対的な位置関係を容易に変更することが可能となる。
【発明の効果】
【００２０】
本発明では、光源からの白色光が複数の第１カラーホイール及び第２カラーホイールに反射されることによって、各色の光を時分割で生成することができ、生成された光を用いて画像を投影する。また、本発明では、第１カラーホイールの反射フィルタ及び第２カラーホイールの第２反射フィルタの相対的な位置関係を維持して第１カラーホイール及び第２カラーホイールを回転させることにより、光源からの白色光が第１カラーホイール及び第２カラーホイールに反射されることによって時分割で生成される光の各色の配分を維持することができる。
【００２１】
本発明では、第１カラーホイールの反射フィルタ及び第２カラーホイールの第２反射フィルタの相対的な位置関係を適切に変更することにより、第１カラーホイール及び第２カラーホイールに反射されることによって時分割で生成される光の各色の配分を任意に変更することができる。時分割で生成される光の各色の配分を任意に変更できることにより、投影画像において表現が可能な色調の自由度が広がり、微妙な調整も可能となる。従って、例えば、映像を映写する場合のように色再現性をより重視する場合、プレゼンテーションを行う場合のように投影画像の明るさをより大きくする必要がある場合等、プロジェクタの使用状況に応じて適切な色再現性及び画像の明るさにすることができる。
【００２２】
本発明では、回転する第１カラーホイール及び第２カラーホイールに光源からの白色光が反射されることにより、赤、緑及び青の各色の光を時分割で順次生成することができ、適切な配分で生成された各色の光を用いることにより、投影画像において適切な色再現性及び明るさにすることができる。
【００２３】
本発明では、同軸配置された第１カラーホイール及び第２カラーホイールを回転軸を中心に適切にずらすことにより、第１カラーホイールの反射フィルタ及び第２カラーホイールの第２反射フィルタの相対的な位置関係を容易に変更できる。よって、第１カラーホイール及び第２カラーホイールに反射されることによって時分割で生成される光の各色の配分を容易に変更することができる。
【発明を実施するための最良の形態】
【００２４】
以下に、本発明をその実施形態を示す図面に基づき具体的に説明する。
図１は本発明のプロジェクタの主な内部構成例を示すブロック図である。図中の一点破線は光を示す。本実施形態のプロジェクタ１００は、光源１、集光レンズ２、プリズム３、ホイールユニット４、集光ロッド５、ミラー６、画像デバイス７、投射用レンズ８等を備えている。
【００２５】
光源１は、メタルハライドランプ又は超高圧水銀ランプ等の放電ランプで構成され、白色光を発光する。集光レンズ２は、光源１が発光した白色光を集光してプリズム３へ出射する。プリズム３は、集光レンズ２から出射された光を反射させて光路を変え、ホイールユニット４へ出射する。
【００２６】
ホイールユニット４は、詳細な構成については後述するが、夫々に透過フィルタ又は反射フィルタが設けられた複数（本実施形態では４つ）のカラーホイール４１，４４，４７，５０を備えている。プリズム３から入射された光は、カラーホイール４１，４４，４７，５０の透過フィルタを通過し、又は反射フィルタに反射され、各反射フィルタによって反射された色の光が時分割で生成されてプリズム３へ出射される。プリズム３は、ホイールユニット４から入射された光を集光ロッド５へ出射する。集光ロッド５は、プリズム３から出射された光を集光し、明るさの強度分布を均一にした上でミラー６へ出射する。ミラー６は、集光ロッド５から出射された光を反射させて光路を変更し、画像デバイス７へ出射する。
【００２７】
画像デバイス７は、例えばＤＭＤ素子により構成され、夫々が画像中の画素に対応する多数の微小ミラーを２次元的に配置してなる。画像デバイス７は、発光する画素に対応する微小ミラーが投射用レンズ８の方向へ光を反射し、また非発光の画素に対応する微小ミラーが投射用レンズ８へは入射しない方向へ光を反射することにより、投射用レンズ８の方向への反射光の有無で２次元の画像を形成する。投射用レンズ（投影手段）８は、画像デバイス７の各ＤＭＤ素子によって反射された光を外部へ投射することにより、画像デバイス７上に形成された各色の光の像による画像を拡大して外部のスクリーン又は壁等へ投影する。ホイールユニット４から時分割で出射される各色の光に基づいて、投射用レンズ８が各色の画像を時分割で順次投影することにより、視聴者にはカラー画像として認識される。
【００２８】
プロジェクタ１００は、画像デバイス７に画像を形成させる処理を行うデバイス駆動部９、マイクロコンピュータ等を用いてなる制御部１０、操作部１１等を更に備えている。制御部１０は、光源１、デバイス駆動部９、操作部１１、ホイールユニット４のカラーホイール駆動部４２，４５，４８，５１（図２参照）及び位置センサ４３，４６，４９，５２（図２参照）等に接続されており、これら各部の動作を適切に制御する。
プロジェクタ１００は、パーソナルコンピュータ（ＰＣ）又は映像再生装置等の外部の装置（図示せず）から送出される画像データを取得できるように構成されており、制御部１０は、外部の装置から取得した画像データを処理し、画像データに基づく画像を外部へ投影できるように、上述した各部の動作を制御する。
【００２９】
操作部１１は、プロジェクタ１００をユーザが操作するために必要な各種の操作キーを備えており、ユーザにより各操作キーが操作された場合、操作された操作キーに対応した制御信号を制御部１０へ送出し、制御部１０は取得した制御信号に対応した処理を実行する。なお、プロジェクタ１００をリモートコントロール装置によって遠隔から操作できるように構成してもよい。
【００３０】
以下に、ホイールユニット４の構成について説明する。図２はホイールユニット４の構成例を示す模式図である。ホイールユニット４は、円盤状に形成された回転可能な４つのカラーホイール４１，４４，４７，５０が、回転軸を一致させて同軸配置されている。また、ホイールユニット４は、カラーホイール４１，４４，４７，５０の夫々の回転を制御する第１カラーホイール駆動部４２、第２カラーホイール駆動部４５、第３カラーホイール駆動部４８、第４カラーホイール駆動部５１（以下では、まとめてカラーホイール駆動部と呼ぶこともある）を有する。更に、ホイールユニット４は、カラーホイール４１，４４，４７，５０の夫々に設けられた周方向の基準位置を示すマーク４１ｃ，４４ｃ，４７ｃ，５０ｃ（図３参照）を検出する第１位置センサ４３、第２位置センサ４６、第３位置センサ４９、第４位置センサ５２（以下では、まとめて位置センサと呼ぶこともある）を有する。
【００３１】
カラーホイール駆動部４２，４５，４８，５１は夫々、対応するカラーホイール４１，４４，４７，５０を一定速度で回転させるためのモータ（図示せず）、対応するカラーホイール４１，４４，４７，５０の回転速度を制御する制御回路等を有する。位置センサ４３，４６，４９，５２は夫々、対応するカラーホイール４１，４４，４７，５０に設けられたマーク４１ｃ，４４ｃ，４７ｃ，５０ｃの位置を光学的に検出する。
【００３２】
制御部１０は、位置センサ４３，４６，４９，５２によって検出されたマーク４１ｃ，４４ｃ，４７ｃ，５０ｃの位置に基づいて、プリズム３から入射された光がカラーホイール４１，４４，４７，５０夫々のどの位置に入射されているかを把握する。また、制御部１０は、カラーホイール４１，４４，４７，５０に入射される光の位置に基づいて、各時点でいずれの色の光が画像デバイス７へ照射されているかを知ることができる。従って、制御部１０は、カラーホイール４１，４４，４７，５０の回転のタイミングに合わせてデバイス駆動部９の動作を制御することにより、画像データに基づいた各色用の画像を画像デバイス７に時分割で表示させることができる。
【００３３】
以下に、カラーホイール４１，４４，４７，５０の構成について説明する。図３はカラーホイール４１，４４，４７，５０の構成例を模式的に示す正面図である。カラーホイール（第２カラーホイール）４１は、中心角度が２７０°の扇形状に形成され、入射された光を反射させる第１反射フィルタ４１ｂと、中心角度が９０°の扇形状に形成され、入射された光のうちのＧ（緑）の色の光のみを反射させる第２反射フィルタ４１ａとを中心軸周りに配置して構成されている。カラーホイール４１は、第１カラーホイール駆動部４２のモータが中心軸に直結され、例えば６０Ｈｚの回転速度で、中心軸を回転軸としてモータによって回転する構成となっている。また、カラーホイール４１には、内周縁の第１反射フィルタ４１ｂ及び第２反射フィルタ４１ａの連結箇所にマーク４１ｃが設けられている。なお、マーク４１ｃは、第１位置センサ４３が検出できる箇所であれば、図３に示す箇所に限られない。
【００３４】
カラーホイール（第１カラーホイール）４４は、中心角度が１８０°の扇形状に形成され、入射された光を透過させる透過フィルタ４４ｂと、中心角度が１８０°の扇形状に形成され、入射された光のうちのＲ（赤）の色の光のみを反射させる反射フィルタ４４ａとを中心軸周りに配置して構成されている。カラーホイール４４も、カラーホイール４１と同様に、第２カラーホイール駆動部４５のモータが中心軸に直結されており、内周縁の透過フィルタ４４ｂ及び反射フィルタ４４ａの連結箇所にマーク４４ｃが設けられている。
【００３５】
カラーホイール（第１カラーホイール）４７は、中心角度が１８０°の扇形状に形成され、入射された光を透過させる透過フィルタ４７ｂと、中心角度が１８０°の扇形状に形成され、入射された光のうちのＢ（青）の色の光のみを反射させる反射フィルタ４７ａとを中心軸周りに配置して構成されている。カラーホイール４７も、カラーホイール４１，４４と同様に、第３カラーホイール駆動部４８のモータが中心軸に直結されており、内周縁の透過フィルタ４７ｂ及び反射フィルタ４７ａの連結箇所にマーク４７ｃが設けられている。
【００３６】
カラーホイール（第１カラーホイール）５０は、中心角度が２７０°の扇形状に形成され、入射された光を透過させる透過フィルタ５０ｂと、中心角度が９０°の扇形状に形成され、入射された光のうちのＧの色の光のみを反射させる反射フィルタ５０ａとを中心軸周りに配置して構成されている。カラーホイール５０も、カラーホイール４１，４４，４７と同様に、第４カラーホイール駆動部５１のモータが中心軸に直結されており、内周縁の透過フィルタ５０ｂ及び反射フィルタ５０ａの連結箇所にマーク５０ｃが設けられている。
【００３７】
上述した構成のホイールユニット４では、プリズム３から入射された光は、まずカラーホイール５０へ入射され、カラーホイール５０の回転に応じて透過フィルタ５０ｂを通過し、又は反射フィルタ５０ａによってＧの色の光が反射される。カラーホイール５０の透過フィルタ５０ｂを通過した光は、カラーホイール４７へ入射され、カラーホイール４７の回転に応じて透過フィルタ４７ｂを通過し、又は反射フィルタ４７ａによってＢの色の光が反射される。
【００３８】
また、カラーホイール４７の透過フィルタ４７ｂを通過した光は、カラーホイール４４へ入射され、カラーホイール４４の回転に応じて透過フィルタ４４ｂを通過し、又は反射フィルタ４４ａによってＲの色の光が反射される。更に、カラーホイール４４の透過フィルタ４４ｂを通過した光は、カラーホイール４１へ入射され、カラーホイール４１の回転に応じて第１反射フィルタ４１ｂによって全ての色の光が反射され、又は第２反射フィルタ４１ａによってＧの色の光が反射される。
【００３９】
カラーホイール４１の第１反射フィルタ４１ｂ及び第２反射フィルタ４１ａによって反射された光は、カラーホイール４４の回転に応じて透過フィルタ４４ｂを通過し、透過フィルタ４４ｂを通過した光及びカラーホイール４４の反射フィルタ４４ａによって反射されたＲの色の光は、カラーホイール４７の回転に応じて透過フィルタ４７ｂを通過する。透過フィルタ４７ｂを通過した光及びカラーホイール４７の反射フィルタ４７ａによって反射されたＢの色の光は、カラーホイール５０の回転に応じて透過フィルタ５０ｂを通過し、透過フィルタ５０ｂを通過した光及びカラーホイール５０の反射フィルタ５０ａによって反射されたＧの色の光は、プリズム３へ出射される。
【００４０】
このような構成のホイールユニット４を用いることにより、集光レンズ２及びプリズム３を通過してきた光源１からの白色光が、回転するカラーホイール４１，４４，４７，５０によって形成される仮想的なカラーホイールに反射され、赤緑青及び白色の複数色の光が、各反射フィルタ４１ａ，４１ｂ，４４ａ，４７ａ，５０ａの配置に応じた順に時分割で生成される。ホイールユニット４によって生成された各色の光は時分割でプリズム３へ入射される。
【００４１】
以下に、上述したような４つのカラーホイール４１，４４，４７，５０を有するホイールユニット４の使用例について説明する。図４乃至図６はカラーホイール４１，４４，４７，５０の使用例を模式的に示す正面図である。なお、以下の説明では、図３に示したように、各カラーホイール４１，４４，４７，５０に設けられたマーク４１ｃ，４４ｃ，４７ｃ，５０ｃが、各カラーホイール４１，４４，４７，５０の中心軸に対して真上の位置にある状態を基準とする。
【００４２】
図４（ａ）には、カラーホイール４１を反時計回りに３０°ずらし、カラーホイール４４を時計回りに１２０°ずらし、カラーホイール４７を時計回りに３０°ずらし、カラーホイール５０を基準の位置でホイールユニット４を用いた場合を示す。
【００４３】
この場合、プリズム３からホイールユニット４のカラーホイール５０へ入射された光は、カラーホイール５０の回転に応じて反射フィルタ５０ａによってＧの色の光が反射され、又は透過フィルタ５０ｂを通過する。カラーホイール４７には、透過フィルタ５０ｂを通過した光のみが入射されるため、反射フィルタ４７ａの領域４７ａｂ及び透過フィルタ４７ｂの領域４７ｂｂには光は入射されない。よって、カラーホイール５０の透過フィルタ５０ｂを通過した光は、カラーホイール４７の回転に応じて反射フィルタ４７ａの領域４７ａａによってＢの色の光が反射され、又は透過フィルタ４７ｂの領域４７ｂａを通過する。
【００４４】
カラーホイール４４には、透過フィルタ４７ｂの領域４７ｂａを通過した光のみが入射されるため、反射フィルタ４４ａの領域４４ａｂ及び透過フィルタ４４ｂの領域４４ｂｂには光は入射されない。よって、カラーホイール４７の透過フィルタ４７ｂの領域４７ｂａを通過した光は、カラーホイール４４の回転に応じて反射フィルタ４４ａの領域４４ａａによってＲの色の光が反射され、又は透過フィルタ４４ｂの領域４４ｂａを通過する。
【００４５】
カラーホイール４１には、透過フィルタ４４ｂの領域４４ｂａを通過した光のみが入射されるため、第２反射フィルタ４１ａの領域４１ａｂ及び第１反射フィルタ４１ｂには光は入射されない。よって、カラーホイール４４の透過フィルタ４４ｂの領域４４ｂａを通過した光は、カラーホイール４１の第２反射フィルタ４１ａの領域４１ａａによってＧの色の光が反射される。
カラーホイール４１によって反射された光は、カラーホイール４４の透過フィルタ４４ｂを通過し、この光及びカラーホイール４４によって反射された光は、カラーホイール４７の透過フィルタ４７ｂを通過する。カラーホイール４７の透過フィルタ４７ｂを通過した光及びカラーホイール４７によって反射された光は、カラーホイール５０の透過フィルタ５０ｂを通過し、この光及びカラーホイール５０によって反射された光はプリズム３へ出射される。
【００４６】
上述の位置関係で各カラーホイール４１，４４，４７，５０を用いることにより、図４（ａ）の右端に示したカラーホイールを仮想的に形成することができ、このカラーホイールの回転に応じて緑青赤の各色の光を時分割で順に生成することができる。この場合、緑青赤の各光が夫々１：１：１の配分で生成される。なお、プロジェクタ１００が画像を投影する場合、制御部（設定手段）１０が、位置センサ４３，４６，４９，５２による検出結果に基づいて、カラーホイール駆動部４２，４５，４８，５１を適切に制御することにより、上述したカラーホイール４１，４４，４７，５０の相対的な位置関係を維持しつつ各カラーホイール４１，４４，４７，５０を一定速度で回転させる。
【００４７】
図４（ｂ）には、カラーホイール４１，４７，５０を基準の位置で、カラーホイール４４を時計回りに９０°ずらした状態でホイールユニット４を用いた場合を示す。なお、この場合も、プロジェクタ１００が画像を投影する際、制御部１０が、位置センサ４３，４６，４９，５２による検出結果に基づいて、カラーホイール駆動部４２，４５，４８，５１を適切に制御することにより、図４（ｂ）に示すカラーホイール４１，４４，４７，５０の相対的な位置関係を維持しつつ各カラーホイール４１，４４，４７，５０を一定速度で回転させる。
【００４８】
図４（ｂ）に示す場合、プリズム３からホイールユニット４のカラーホイール５０へ入射された光は、カラーホイール５０の回転に応じて反射フィルタ５０ａによってＧの色の光が反射され、又は透過フィルタ５０ｂを通過し、透過フィルタ５０ｂを通過した光は、カラーホイール４７の反射フィルタ４７ａの領域４７ａｂには入射されない。よって、カラーホイール５０の透過フィルタ５０ｂを通過した光は、カラーホイール４７の回転に応じて反射フィルタ４７ａの領域４７ａａによってＢの色の光が反射され、又は透過フィルタ４７ｂを通過する。
【００４９】
カラーホイール４４には、透過フィルタ４７ｂを通過した光のみが入射されるため、反射フィルタ４４ａの領域４４ａｂ及び透過フィルタ４４ｂの領域４４ｂｂには光は入射されない。よって、カラーホイール４７の透過フィルタ４７ｂを通過した光は、カラーホイール４４の回転に応じて反射フィルタ４４ａの領域４４ａａによってＲの色の光が反射され、又は透過フィルタ４４ｂの領域４４ｂａを通過する。
【００５０】
カラーホイール４１には、透過フィルタ４４ｂの領域４４ｂａを通過した光のみが入射されるため、第２反射フィルタ４１ａ及び第１反射フィルタ４１ｂの領域４１ｂｂには光は入射されない。よって、カラーホイール４４の透過フィルタ４４ｂの領域４４ｂａを通過した光は、カラーホイール４１の第１反射フィルタ４１ｂの領域４１ｂａによってそのまま反射される。カラーホイール４１，４４，４７によって反射された光は順にカラーホイール４４，４７，５０の透過フィルタ４４ｂ，４７ｂ，５０ｂを通過し、カラーホイール５０によって反射された光と共にプリズム３へ出射される。
【００５１】
上述の位置関係で各カラーホイール４１，４４，４７，５０を用いることにより、図４（ｂ）の右端に示したカラーホイールを仮想的に形成することができ、このカラーホイールの回転に応じて緑青赤及び白色（Ｗ）の光を時分割で順に生成することができる。この場合、緑青赤及び白色の各光が夫々１：１：１：１の配分で生成される。このように、緑青赤の各色の光の間に白色の光を割り込ませることにより、投影された画像の輝度が高くなり、見た目が明るくなる。従って、例えば、色再現性よりも投影画像の明るさが重要であるプレゼンテーションにプロジェクタ１００を用いる際には、図４（ｂ）に示すような位置関係で各カラーホイール４１，４４，４７，５０を用いればよい。
【００５２】
図５（ａ）には、カラーホイール４１，４７，５０を基準の位置で、カラーホイール４４を時計回りに１８０°ずらした状態でホイールユニット４を用いた場合を示す。なお、この場合も、プロジェクタ１００が画像を投影する際、制御部１０が、位置センサ４３，４６，４９，５２による検出結果に基づいて、カラーホイール駆動部４２，４５，４８，５１を適切に制御することにより、図５（ａ）に示すカラーホイール４１，４４，４７，５０の相対的な位置関係を維持しつつ各カラーホイール４１，４４，４７，５０を一定速度で回転させる。
【００５３】
図５（ａ）に示す場合、プリズム３からホイールユニット４のカラーホイール５０へ入射された光は、カラーホイール５０の回転に応じて反射フィルタ５０ａによってＧの色の光が反射され、又は透過フィルタ５０ｂを通過し、透過フィルタ５０ｂを通過した光は、カラーホイール４７の反射フィルタ４７ａの領域４７ａｂには入射されない。よって、カラーホイール５０の透過フィルタ５０ｂを通過した光は、カラーホイール４７の回転に応じて反射フィルタ４７ａの領域４７ａａによってＢの色の光が反射され、又は透過フィルタ４７ｂを通過する。
【００５４】
カラーホイール４４には、透過フィルタ４７ｂを通過した光のみが入射されるため、透過フィルタ４４ｂには光は入射されない。よって、カラーホイール４７の透過フィルタ４７ｂを通過した光は、カラーホイール４４の反射フィルタ４４ａによってＲの色の光が反射され、カラーホイール４１には入射されない。カラーホイール４４，４７によって反射された光は順にカラーホイール４７，５０の透過フィルタ４７ｂ，５０ｂを通過し、カラーホイール５０によって反射された光と共にプリズム３へ出射される。
【００５５】
上述の位置関係で各カラーホイール４１，４４，４７，５０を用いることにより、図５（ａ）の右端に示したカラーホイールを仮想的に形成することができ、このカラーホイールの回転に応じて緑青赤の各色の光を時分割で順に生成することができる。この場合、緑青赤の各光が夫々１：１：２の配分で生成され、画像に含まれる赤色を強調させた画像を投影させることができる。従って、例えば、色再現性が重要であり、赤色を強調した映像の投影を行う際には、図５（ａ）に示すような位置関係で各カラーホイール４１，４４，４７，５０を用いればよい。
【００５６】
図５（ｂ）には、カラーホイール４１，５０を基準の位置で、カラーホイール４４を時計回りに１８０°ずらし、カラーホイール４７を時計回りに９０°ずらした状態でホイールユニット４を用いた場合を示す。なお、この場合も、プロジェクタ１００が画像を投影する際、制御部１０が、位置センサ４３，４６，４９，５２による検出結果に基づいて、カラーホイール駆動部４２，４５，４８，５１を適切に制御することにより、図５（ｂ）に示すカラーホイール４１，４４，４７，５０の相対的な位置関係を維持しつつ各カラーホイール４１，４４，４７，５０を一定速度で回転させる。
【００５７】
図５（ｂ）に示す場合、プリズム３からホイールユニット４のカラーホイール５０へ入射された光は、カラーホイール５０の回転に応じて反射フィルタ５０ａによってＧの色の光が反射され、又は透過フィルタ５０ｂを通過し、透過フィルタ５０ｂを通過した光は、カラーホイール４７の透過フィルタ４７ｂの領域４７ｂｂには入射されない。よって、カラーホイール５０の透過フィルタ５０ｂを通過した光は、カラーホイール４７の回転に応じて反射フィルタ４７ａによってＢの色の光が反射され、又は透過フィルタ４７ｂの領域４７ｂａを通過する。
【００５８】
カラーホイール４４には、透過フィルタ４７ｂの領域４７ｂａを通過した光のみが入射されるため、透過フィルタ４４ｂ及び反射フィルタ４４ａの領域４４ａｂには光は入射されない。よって、カラーホイール４７の透過フィルタ４７ｂの領域４７ｂａを通過した光は、カラーホイール４４の反射フィルタ４４ａの領域４４ａａによってＲの色の光が反射され、カラーホイール４１には入射されない。カラーホイール４４，４７によって反射された光は順にカラーホイール４７，５０の透過フィルタ４７ｂ，５０ｂを通過し、カラーホイール５０によって反射された光と共にプリズム３へ出射される。
【００５９】
上述の位置関係で各カラーホイール４１，４４，４７，５０を用いることにより、図５（ｂ）の右端に示したカラーホイールを仮想的に形成することができ、このカラーホイールの回転に応じて緑青赤の各色の光を時分割で順に生成することができる。この場合、緑青赤の各光が夫々１：２：１の配分で生成され、画像に含まれる青色を強調させた画像を投影することができる。従って、例えば、色再現性が重要であり、青色を強調した映像の投影を行う際には、図５（ｂ）に示すような位置関係で各カラーホイール４１，４４，４７，５０を用いればよい。
【００６０】
図６（ａ）には、カラーホイール４１を反時計回りに９０°ずらし、カラーホイール４４を時計回りに９０°ずらし、カラーホイール４７，５０を基準の位置でホイールユニット４を用いた場合を示す。なお、この場合も、プロジェクタ１００が画像を投影する際、制御部１０が、位置センサ４３，４６，４９，５２による検出結果に基づいて、カラーホイール駆動部４２，４５，４８，５１を適切に制御することにより、図６（ａ）に示すカラーホイール４１，４４，４７，５０の相対的な位置関係を維持しつつ各カラーホイール４１，４４，４７，５０を一定速度で回転させる。
【００６１】
図６（ａ）に示す場合、プリズム３からホイールユニット４のカラーホイール５０へ入射された光は、カラーホイール５０の回転に応じて反射フィルタ５０ａによってＧの色の光が反射され、又は透過フィルタ５０ｂを通過し、透過フィルタ５０ｂを通過した光は、カラーホイール４７の反射フィルタ４７ａの領域４７ａｂには入射されない。よって、カラーホイール５０の透過フィルタ５０ｂを通過した光は、カラーホイール４７の回転に応じて反射フィルタ４７ａの領域４７ａａによってＢの色の光が反射され、又は透過フィルタ４７ｂを通過する。
【００６２】
カラーホイール４４には、透過フィルタ４７ｂを通過した光のみが入射されるため、透過フィルタ４４ｂの領域４４ｂｂ及び反射フィルタ４４ａの領域４４ａｂには光は入射されない。よって、カラーホイール４７の透過フィルタ４７ｂを通過した光は、カラーホイール４４の回転に応じて反射フィルタ４４ａの領域４４ａａによってＲの色の光が反射され、又は透過フィルタ４４ｂの領域４４ｂａを通過する。
【００６３】
カラーホイール４１には、透過フィルタ４４ｂの領域４４ｂａを通過した光のみが入射されるため、第１反射フィルタ４１ｂには光は入射されない。よって、カラーホイール４４の透過フィルタ４４ｂの領域４４ｂａを通過した光は、カラーホイール４１の第２反射フィルタ４１ａによってＧの色の光が反射される。カラーホイール４１，４４，４７によって反射された光は順にカラーホイール４４，４７，５０の透過フィルタ４４ｂ，４７ｂ，５０ｂを通過し、カラーホイール５０によって反射された光と共にプリズム３へ出射される。
【００６４】
上述の位置関係で各カラーホイール４１，４４，４７，５０を用いることにより、図６（ａ）の右端に示したカラーホイールを仮想的に形成することができ、このカラーホイールの回転に応じて緑青赤の各色の光を時分割で順に生成することができる。この場合、緑青赤の各光が夫々２：１：１の配分で生成され、画像に含まれる緑色を強調させた画像を投影させることができる。従って、例えば、色再現性が重要であり、緑色を強調した映像の投影を行う際、又は投影画像の輝度を向上させたい際には、図６（ａ）に示すような位置関係で各カラーホイール４１，４４，４７，５０を用いればよい。
【００６５】
図６（ｂ）には、カラーホイール４１を反時計回りに２０°ずらし、カラーホイール４４を時計回りに１３０°ずらし、カラーホイール４７を時計回りに２０°ずらし、カラーホイール５０を基準の位置でホイールユニット４を用いた場合を示す。なお、この場合も、プロジェクタ１００が画像を投影する際、制御部１０が、位置センサ４３，４６，４９，５２による検出結果に基づいて、カラーホイール駆動部４２，４５，４８，５１を適切に制御することにより、図６（ｂ）に示すカラーホイール４１，４４，４７，５０の相対的な位置関係を維持しつつ各カラーホイール４１，４４，４７，５０を一定速度で回転させる。
【００６６】
図６（ｂ）に示す場合、プリズム３からホイールユニット４のカラーホイール５０へ入射された光は、カラーホイール５０の回転に応じて反射フィルタ５０ａによってＧの色の光が反射され、又は透過フィルタ５０ｂを通過し、透過フィルタ５０ｂを通過した光は、カラーホイール４７の反射フィルタ４７ａの領域４７ａｂ及び透過フィルタ４７ｂの領域４７ｂｂには入射されない。よって、カラーホイール５０の透過フィルタ５０ｂを通過した光は、カラーホイール４７の回転に応じて反射フィルタ４７ａの領域４７ａａによってＢの色の光が反射され、又は透過フィルタ４７ｂの領域４７ｂａを通過する。
【００６７】
カラーホイール４４には、透過フィルタ４７ｂの領域４７ｂａを通過した光のみが入射されるため、反射フィルタ４４ａの領域４４ａｂ及び透過フィルタ４４ｂの領域４４ｂｂには光は入射されない。よって、カラーホイール４７の透過フィルタ４７ｂの領域４７ｂａを通過した光は、カラーホイール４４の回転に応じて反射フィルタ４４ａの領域４４ａａによってＲの色の光が反射され、又は透過フィルタ４４ｂの領域４４ｂａを通過する。
【００６８】
カラーホイール４１には、カラーホイール４４の透過フィルタ４４ｂの領域４４ｂａを通過した光のみが入射されるため、第２反射フィルタ４１ａの領域４１ａｂ及び第１反射フィルタ４１ｂの領域４１ｂｂには光は入射されない。よって、カラーホイール４４の透過フィルタ４４ｂの領域４４ｂａを通過した光は、カラーホイール４１の回転に応じて第２反射フィルタ４１ａの領域４１ａａによってＧの色の光が反射され、又は第１反射フィルタ４１ｂの領域４１ｂａによってそのまま反射される。カラーホイール４１，４４，４７によって反射された光は順にカラーホイール４４，４７，５０の透過フィルタ４４ｂ，４７ｂ，５０ｂを通過し、カラーホイール５０によって反射された光と共にプリズム３へ出射される。
【００６９】
上述の位置関係で各カラーホイール４１，４４，４７，５０を用いることにより、図６（ｂ）の右端に示したカラーホイールを仮想的に形成することができ、このカラーホイールの回転に応じて緑青赤及び白色の光を時分割で順に生成することができる。この場合、緑青赤及び白色の各光が夫々１１：１１：１１：３の配分で生成される。
【００７０】
上述したように、本発明のプロジェクタ１００では、カラーホイール４１，４４，４７，５０の夫々に設けられた反射フィルタ４１ａ、４１ｂ，４４ａ，４７ａ，５０ａの相対的な位置関係を適宜変更することにより、カラーホイール４１，４４，４７，５０の回転に伴って仮想的に形成されるカラーホイールにおいて、各色の配分を連続的に変更することができる。従って、例えば、白色の割合を増やすことによって投影画像の輝度を上げることができ、また、各色成分の配分を任意に変更することによって視聴者の微妙な好みに対応した色調も実現することができる。
【００７１】
これにより、例えば、複数のプロジェクタ画面を合わせて１画面とするスタック設置型の画面、壁等、画像の投影用のスクリーンではないものへ画像を投影する場合であっても、視聴者の好みの色調で画像を投影することができる。特に、壁の色に合わせて良好な色再現性及び明るさで画像を投影する場合には有効である。よって、様々な場所でプロジェクタ１００を利用することが可能となる。
【００７２】
なお、図４乃至図６に示したようなカラーホイール４１，４４，４７，５０の相対的な位置関係は、例えば、操作部１１を介した視聴者による設定によって変更することができる。具体的には、視聴者が、操作部１１を介して投影画像の明るさの設定、投影画像における各色の配分（割合）の設定を行い、制御部１０が、操作部１１を介して入力された各設定に対応して、カラーホイール４１，４４，４７，５０の相対的な位置関係を特定し、特定した位置関係となるようにカラーホイール駆動部４２，４５，４８，５１を制御すればよく、このようなカラーホイール駆動部４２，４５，４８，５１からの制御に従って、各カラーホイール４１，４４，４７，５０を、視聴者による設定に対応した位置関係を維持した状態で回転させることができる。
【００７３】
また、例えば、プレゼンテーションモード、シアターモード、赤強調モード、緑強調モード、青強調モード等の各モードに対応して、カラーホイール４１，４４，４７，５０の位置関係を予め登録しておき、制御部１０が、操作部１１を介して視聴者によって選択されたモードに対応する位置関係となるようにカラーホイール駆動部４２，４５，４８，５１を制御するようにプロジェクタ１００を構成してもよい。この場合、視聴者は、所望のモードを選択すればよく、投影画像における各色の詳細な配分の指定をする必要がないので、操作負担を軽減することができる。
【００７４】
また、プロジェクタ１００の使用環境に応じて、カラーホイール４１，４４，４７，５０の相対的な位置関係を自動的に設定するようにプロジェクタ１００を構成してもよい。具体的には、プロジェクタ１００の周囲の明るさを検出するセンサをプロジェクタ１００に設け、センサが検出した周囲の明るさが所定以下となった場合に、制御部１０が、カラーホイール駆動部４２，４５，４８，５１を適切に制御し、投影画像の明るさを上げるようにカラーホイール４１，４４，４７，５０の位置関係を変更すればよい。この場合、プロジェクタ１００の周囲の明るさに応じて適切な明るさで画像を投影することができる。
【００７５】
また、光源１の使用時間に応じて、カラーホイール４１，４４，４７，５０の相対的な位置関係を自動的に変更するようにプロジェクタ１００を構成してもよい。具体的には、制御部１０が、所定時間を計時する計時手段を有し、所定時間が経過した場合に、カラーホイール駆動部４２，４５，４８，５１を適切に制御し、投影画像の明るさを上げるようにカラーホイール４１，４４，４７，５０の位置関係を変更すればよい。この場合、光源１の経年劣化に伴って光源１の光量が減少した場合であっても、投影画像の明るさを維持することができる。
【００７６】
更に、投影する画像の画像データに応じて、カラーホイール４１，４４，４７，５０の相対的な位置関係を変更するようにプロジェクタ１００を構成してもよい。具体的には、投影すべき画像データに、投影画像における各色の配分を決定する判断基準となる基準情報を含めておき、制御部１０が、投影すべき画像データを取得した場合に、取得した画像データに含まれる基準情報に基づいて、基準情報が示す各色の配分となるようなカラーホイール４１，４４，４７，５０の相対的な位置関係を特定し、特定した位置関係となるように、カラーホイール駆動部４２，４５，４８，５１を適切に制御すればよい。
【００７７】
また、制御部１０が、投影すべき画像データ自体に基づいて、色再現性を重視すべき画像であるか、画像の明るさを重視すべき画像であるかを判断し、この判断結果に応じて、カラーホイール４１，４４，４７，５０の相対的な位置関係を変更するように構成してもよい。これらの構成により、投影すべき画像の画像データに応じて、投影画像における各色の配分を適切に変更することができる。
【００７８】
本実施形態では、各カラーホイール４１，４４，４７，５０の夫々に、図３に示すような形状の反射フィルタ４１ａ，４１ｂ，４４ａ，４７ａ，５０ａが設けられた形態を示したが、これに限るものではない。具体的には、図３では、Ｇの色の光を反射させるカラーホイール４１の第２反射フィルタ４１ａ及びカラーホイール５０の反射フィルタ５０ａが、９０°の中心角度を有する扇形状に形成され、Ｒの色の光を反射させるカラーホイール４４の反射フィルタ４４ａ及びＢの色の光を反射させるカラーホイール４７の反射フィルタ４７ａが、１８０°の中心角度を有する扇形状に形成された形態を示した。しかし、例えば、Ｇの色の光を反射させる反射フィルタ及びＲの色の光を反射させる反射フィルタを、１８０°の中心角度を有する扇形状に形成し、Ｂの色の光を反射させる反射フィルタを、９０°の中心角度を有する扇形状に形成した場合には、Ｂの色の光を反射させる反射フィルタを２枚用いる形態としてもよい。
【００７９】
また、本実施形態では、各反射フィルタ４１ａ，４１ｂ，４４ａ，４７ａ，５０ａに、Ｒ，Ｇ，Ｂ，Ｗのいずれかの色の光を反射させる色フィルタを用いた構成について説明した。しかし、例えば、黄色、マゼンタ又はシアンの補色の光を反射させる反射フィルタを混ぜて用いてもよい。この場合、表現が可能な色の種類が増え、色再現性が向上する。なお、各カラーホイール４１，４４，４７，５０の配置順序も、図２に示した形態には限られない。
【００８０】
更に、本実施形態では、各カラーホイール４１，４４，４７，５０を図２に示すように同軸配置したホイールユニット４を用いた構成について説明した。しかし、カラーホイール５０の透過フィルタ５０ｂを通過した光がカラーホイール４７に入射され、カラーホイール４７の透過フィルタ４７ｂを通過した光がカラーホイール４４に入射され、カラーホイール４４の透過フィルタ４４ｂを通過した光がカラーホイール４１に入射される配置であれば、同軸配置に限られない。
【００８１】
本実施形態では、画像を形成する画像デバイス７をＤＭＤによって構成した形態を示した。しかし、液晶パネル等の時分割で各色用の画像を形成できるその他の画像デバイスを備えた形態であってもよい。また本実施形態においては、プロジェクタ１００は、外部のスクリーン又は壁等へ画像を投影するフロントプロジェクション方式の形態を示したが、これに限るものではなく、図示しない透過型のスクリーンを備え、スクリーンの背面から投射用レンズ８で光を投射することによってスクリーンに画像を投影するリアプロジェクション方式の形態であってもよい。
【００８２】
本実施形態では、各カラーホイール４１，４４，４７，５０を回転させる駆動部として、４つのカラーホイール駆動部４２，４５，４８，５１を設ける形態を示したが、これに限るものではなく、例えば、１つのモータによって、カラーホイール４１，４４，４７，５０の相対的な位置関係を維持しつつ各カラーホイール４１，４４，４７，５０の回転を制御する形態とすることもできる。具体的には、１つのモータと各カラーホイール４１，４４，４７，５０との連結箇所に、各カラーホイール４１，４４，４７，５０を夫々ずらすと共にずらした状態を維持するための部材を取り付け、この部材によって各カラーホイール４１，４４，４７，５０の相対的な位置関係を維持しつつモータによって各カラーホイール４１，４４，４７，５０を回転させるようにすればよい。
【００８３】
本実施形態では、カラーホイール４１，４４，４７，５０の相対的な位置関係を連続的に任意に変更できる形態を示したが、図４乃至図６に示したような各パターンに対応した固定用の孔を各カラーホイール４１，４４，４７，５０に設けておき、各カラーホイール４１，４４，４７，５０に設けた固定用の孔に例えばロックピンを通し、各カラーホイール４１，４４，４７，５０をロックピンで固定した状態で回転させるように構成してもよい。この場合は、カラーホイール４１，４４，４７，５０の相対的な位置関係を段階的にしか変更できなくなるが、カラーホイール４１，４４，４７，５０の位置関係を確実に維持した状態でカラーホイール４１，４４，４７，５０を回転させることができる。
【図面の簡単な説明】
【００８４】
【図１】本発明のプロジェクタの主な内部構成例を示すブロック図である。
【図２】ホイールユニットの構成例を示す模式図である。
【図３】カラーホイールの構成例を模式的に示す正面図である。
【図４】カラーホイールの使用例を模式的に示す正面図である。
【図５】カラーホイールの使用例を模式的に示す正面図である。
【図６】カラーホイールの使用例を模式的に示す正面図である。
【符号の説明】
【００８５】
１００  プロジェクタ
１  光源
４  ホイールユニット
４１，４４，４７，５０  カラーホイール
４２，４５，４８，５１  カラーホイール駆動部（制御手段）
７  画像デバイス
８  投射用レンズ（投影手段）
１０  制御部（設定手段）
【図１】
2008197390.tif 000003
【図２】
2008197390.tif 000004
【図３】
2008197390.tif 000005
【図４】
2008197390.tif 000006
【図５】
2008197390.tif 000007
【図６】
2008197390.tif 000008